(57)【要約】【課題】大荷重を加えない簡単な装置でレンズのホルダに対する位置決めを可能とする、ピックアップ装置用のレンズユニット及びレンズを提供する。【解決手段】ピックアップ装置用のレンズユニットが、レンズが、表裏に第１レンズ面及び第２レンズ面が形成されたレンズ部と、レンズ部の縁部からフランジ状に突出する略円盤状のフランジ部とを有すると共に、フランジ部の外縁の全周に円周方向に等間隔且つ厚さ方向の全域に複数の凹部が形成されたものであり、ホルダは、貫通孔が形成された板状の部材であり、貫通孔の内周面は、レンズのフランジ部と当接可能な寸法の傾斜面となっている。【選択図】  図４
2011233194.tif 000002
【特許請求の範囲】
【請求項１】
レンズと前記レンズを保持するホルダとを有するピックアップ装置用のレンズユニットであって、
前記レンズが、
表裏に第１レンズ面及び第２レンズ面が形成されたレンズ部と、
前記レンズ部の縁部からフランジ状に突出する略円盤状のフランジ部と、
を有すると共に、前記フランジ部の外縁の全周に円周方向に等間隔且つ厚さ方向の全域に複数の凹部が形成されたものであり、
前記ホルダは、貫通孔が形成された板状の部材であり、前記貫通孔の内周面は、前記レンズのフランジ部と当接可能な寸法の傾斜面となっている
ことを特徴とするピックアップ装置用のレンズユニット。
【請求項２】
前記傾斜面は、前記ピックアップ装置の光源側から、該ピックアップ装置によって読み取られる或いは書き込まれる光ディスク側に向かって、前記貫通孔の径が大きくなるよう形成されていることを特徴とする請求項１に記載のピックアップ装置用のレンズユニット。
【請求項３】
前記ホルダにおいて前記貫通孔の前記光ディスク側の外縁部が、該ホルダに取り付けられたレンズよりも前記光ディスクに近接するよう該ホルダが形成されていることを特徴とする請求項２に記載のピックアップ装置用のレンズユニット。
【請求項４】
前記傾斜面が、前記ピックアップ装置によって読み取られる或いは書き込まれる光ディスクの回転軸に平行な軸を中心とする円すい台面であることを特徴とする請求項２又は請求項３に記載のピックアップ装置用のレンズユニット。
【請求項５】
前記傾斜面の、前記ホルダの厚さ方向に対する角度が、４０〜５０°であることを特徴とする請求項４に記載のピックアップ装置のレンズユニット。
【請求項６】
前記傾斜面が、前記ピックアップ装置によって読み取られる或いは書き込まれる光ディスクの回転軸に平行な軸を中心とする球面であることを特徴とする請求項２又は請求項３に記載のピックアップ装置用のレンズユニット。
【請求項７】
ピックアップ装置用のレンズであって、
表裏に第１レンズ面及び第２レンズ面が形成されたレンズ部と、
前記レンズ部の縁部からフランジ状に突出する略円盤状のフランジ部と、
を有し、
前記フランジ部の外縁の全周に円周方向に等間隔且つ厚さ方向の全域に複数の凹部が形成されており、
隣接する複数の凹部の間に形成された凸部の前記フランジの円周方向に沿った方向の長さは、前記複数の凹部の夫々の該フランジの円周方向に沿った方向の長さの０．８倍以下である
ことを特徴とするピックアップ装置用のレンズ。
【請求項８】
ピックアップ装置用のレンズであって、
表裏に第１レンズ面及び第２レンズ面が形成されたレンズ部と、
前記レンズ部の縁部からフランジ状に突出する略円盤状のフランジ部と、
を有し、
前記フランジ部の外縁の全周に円周方向に等間隔且つ厚さ方向の全域に複数の凹部が形成されており、
前記凹部の深さは、該凹部が、前記ピックアップ装置の光源によって生成されて前記レンズ部に入射する光線と交差しないような大きさとなっている
ことを特徴とするピックアップ装置用のレンズ。
【請求項９】
前記凹部の深さは、該凹部が前記レンズ部に達しないような大きさとなっていることを特徴とする請求項８に記載のピックアップ装置用のレンズ。
【発明の詳細な説明】
【技術分野】
【０００１】
本発明は、光ディスクに記録された情報を読み取るためのピックアップ装置に用いられるレンズユニット及びレンズに関する。
【背景技術】
【０００２】
光ディスクに記録された情報を読み取る或いは書き込むために、光ディスク装置が使用される。光ディスク装置は、光ディスクを回転させる為のスピンドルと、回転するディスクにレーザ光を照射して光ディスクに記録された情報を読み取る或いは書き込む為のピックアップ装置を有する。
【０００３】
ピックアップ装置は、レーザ光源、フォトセンサ及びレンズユニットを有する。レンズユニットは、ホルダにレンズが固定されたものである。従来のピックアップ装置のレンズユニットとしては、特許文献１に記載されたものがある。
【０００４】
特許文献１に記載の従来のレンズユニットのレンズは、表裏両面にレンズ面が形成されたレンズ部の外縁から、円盤状のフランジ部が突出した形状となっている。一方、ホルダには、その上にレンズのレンズ部が配置されてレンズ部にレーザ光線を通すための貫通孔と、貫通孔の外縁に形成され、レンズのフランジ部が乗せられる傾斜面とを有する。
【０００５】
ホルダの傾斜面は、光ディスクに近づくに従って径が大きくなるような円すい台面となっている。レンズのフランジ部が乗せられるのが傾斜面であるため、レンズは、フランジ部が傾斜面に乗せられた状態を維持しつつ、ホルダに対してある程度傾斜させることができるようになっている。レンズをホルダに固定するにあたっては、レンズの光軸が光ディスク装置のスピンドルの回転軸と略平行となるように、レンズをホルダ上で動かしながら位置決めを行い、次いでレンズをホルダに接着固定するようになっている。
【先行技術文献】
【特許文献】
【０００６】
【特許文献１】特開２００７−１９３８５６号公報
【発明の概要】
【発明が解決しようとする課題】
【０００７】
上記のように、従来の構成では、フランジ部が円盤状であるため、フランジ部の外縁が全周に亙ってホルダの傾斜面に接触する。そのため、レンズとホルダとの間に働く摩擦力は大きなものとなり、レンズをホルダ上で移動させるためにレンズに大きな荷重を加える必要がある。加えて、従来構成においては、レンズが傾斜面に対して傾くと、傾斜面とレンズとの接触面積が急激に減少し、レンズと傾斜面との間の摩擦力が急激に減少する。このとき、摩擦力に抗してレンズを動かせるだけの大荷重がレンズに加えられているため、摩擦力が急激に減少するとレンズに加える荷重と摩擦力との釣合いが崩れ、レンズが急激に移動し、所望の位置から大きく外れてしまう可能性がある。このように、従来の構成では、レンズの位置決めを正確に行うためには、レンズに大荷重を加え、且つ、レンズが急激に移動しないよう、レンズに加える荷重を高い応答性をもって制御可能な高性能な装置を必要としていた。
【０００８】
本発明は上記の問題を解決するためになされたものである。すなわち、本発明は、大荷重をレンズに加えない簡単な装置でレンズのホルダに対する位置決めを可能とする、ピックアップ装置用のレンズユニット及びレンズを提供することを目的とする。
【課題を解決するための手段】
【０００９】
上記の目的を達成するため、本発明のピックアップ装置用のレンズユニットは、レンズが、表裏に第１レンズ面及び第２レンズ面が形成されたレンズ部と、レンズ部の縁部からフランジ状に突出する略円盤状のフランジ部とを有すると共に、フランジ部の外縁の全周に円周方向に等間隔且つ厚さ方向の全域に複数の凹部が形成されたものであり、ホルダは、貫通孔が形成された板状の部材であり、貫通孔の内周面は、レンズのフランジ部と当接可能な寸法の傾斜面となっている。
【００１０】
本発明においては、上記のようにレンズのフランジ部に凹部が形成されているため、レンズと傾斜面との接触面積は小さく、レンズと傾斜面との間に働く摩擦力は小さなものである。そのため、レンズをホルダ上で移動させるためにレンズに加える荷重の大きさは小さい。また、元々レンズと傾斜面との間に働く摩擦力が小さなものであるため、レンズが傾斜面上で傾いたとしても、摩擦力は大きく減少せず、レンズが意図せず急激に移動することは無い。このように、本発明のレンズユニットは、レンズに大荷重を加える必要も、高い応答性をもってレンズに荷重を加える必要もなく、簡単な装置にてレンズのホルダに対する位置決めを行うことが可能となる。また、フランジ部に凹部を形成することにより、レンズを軽量化することができる。
【００１１】
また、傾斜面は、ピックアップ装置の光源側から、該ピックアップ装置によって読み取られる或いは書き込まれる光ディスク側に向かって、貫通孔の径が大きくなるよう形成されている構成とすることが好ましい。
【００１２】
この場合、ホルダにおいて貫通孔の光ディスク側の外縁部が、該ホルダに取り付けられたレンズよりも光ディスクに近接するよう該ホルダが形成されている構成とすることがさらに好ましい。
【００１３】
このような構成とすると、光ディスクが傾いてピックアップ装置に近づいたとしても、光ディスクはホルダの外縁部に接触することになり、光ディスクがレンズに接触することはない。このように、上記構成によれば、光ディスクとレンズの接触によるレンズの破損が防止される。
【００１４】
ここで、傾斜面が、ピックアップ装置によって読み取られる或いは書き込まれる光ディスクの回転軸に略平行な軸を中心とする円すい台面である構成としてもよい。この場合、傾斜面の、ホルダの厚さ方向に対する角度が、４０〜５０°である構成とすることが好ましい。
【００１５】
あるいは、傾斜面は、ピックアップ装置によって読み取られる或いは書き込まれる光ディスクの回転軸に略平行な軸を中心とする球面である。
【００１６】
また、上記の目的を達成するため、本発明のピックアップ装置用のレンズは、表裏に第１レンズ面及び第２レンズ面が形成されたレンズ部と、レンズ部の縁部からフランジ状に突出する略円盤状のフランジ部とを有し、フランジ部の外縁の全周に円周方向に等間隔且つ厚さ方向の全域に複数の凹部が形成されており、隣接する複数の凹部の間に形成された凸部の前記フランジの円周方向に沿った方向の長さは、前記複数の凹部の夫々の該フランジの円周方向に沿った方向の長さの０．８倍以下である。
【００１７】
あるいは、本発明のピックアップ装置用のレンズは、表裏に第１レンズ面及び第２レンズ面が形成されたレンズ部と、レンズ部の縁部からフランジ状に突出する略円盤状のフランジ部とを有し、フランジ部の外縁の全周に円周方向に等間隔且つ全域に複数の厚さ方向の凹部が形成されており、凹部の深さは、該凹部が、前記ピックアップ装置の光源によって生成されて前記レンズ部に入射する光線と交差しないような大きさとなっている。好ましくは、凹部の深さは、該凹部がレンズ部に達しないような大きさとなっている。
【発明の効果】
【００１８】
以上のように、本発明によれば、簡単な装置でレンズのホルダに対する位置決めを可能とする、ピックアップ装置用のレンズユニット及びレンズが実現される。
【図面の簡単な説明】
【００１９】
【図１】図１（ａ）及び図１（ｂ）は、夫々本発明の第１の実施の形態の光ディスク装置の斜視図及び断面図である。
【図２】図２は、本発明の第１の実施の形態の光ディスク装置の上面図である。
【図３】図３は、本発明の第１の実施の形態の、レンズを光ディスク側から見た上面図である。
【図４】図４は、本発明の第１の実施の形態のレンズユニット及び光ディスクの断面図である。
【図５】図５は、本発明の第１の実施の形態のレンズ固定装置のブロック図である。
【図６】図６は、本発明の第２の実施の形態のレンズユニット及び光ディスクの断面図である。
【発明を実施するための形態】
【００２０】
以下、本発明の実施の形態について説明する。図１（ａ）は、本発明の第１の実施形態の光ディスク装置の斜視図である。また、図１（ｂ）は、本実施形態の光ディスク装置の断面図である。本実施形態の光ディスク装置１００は、光ディスク２００に記録された情報を読み取るための装置である。また、図２は、本実施形態の光ディスク装置の上面図である。
【００２１】
光ディスク装置１００は、ピックアップ装置１３０を有する。ピックアップ装置１３０は、レンズユニット１５０が固定された可動ユニット１３１を有する。図１（ａ）に示されるように、可動ユニット１３１は、一対のガイドシャフト１３３Ｌ及び１３３Ｒによってガイドされることにより、その移動方向が光ディスク２００の半径方向に制限されている。また、図示しない駆動手段により、可動ユニット１３１は光ディスク２００の半径方向にスライドされるようになっている。なお、図１（ａ）においては、ピックアップ装置１３０及びレンズユニット１５０は、実際は光ディスク２００の背後に位置するものであるが、ピックアップ装置１３０及びレンズユニット１５０の形状をより明確なものとするため、これらを実線で記載している。
【００２２】
図１（ｂ）及び図２に示されるように、可動ユニット１３１には、光ディスク２００に記録された情報を読み取る或いは書き込むためのレーザ光をレンズユニット１５０を介して光ディスク２００に出射すると共に、光ディスク２００で反射したレーザ光を検知するための光学ユニット１１０が内蔵されている。光学ユニット１１０は、レーザダイオード１１１、ビームスプリッタ１１２、コリメータレンズ１１３、情報検出用レンズ１１４、フォトセンサ１１５、立ち上げミラー１１６、液晶収差補正素子１１７、及び１／４波長板１１８を有する。また、レンズユニット１５０は、ホルダ１５２にレンズ１５１が接着固定されたものである。
【００２３】
レーザダイオード１１１から放射されたレーザ光は、ビームスプリッタ１１２、コリメータレンズ１１３を介して液晶収差補正素子１１７に入射する。このレーザ光は、液晶収差補正素子１１７により位相を変化され、１／４波長板１１８を介して立ち上げミラー１１６に入射する。そして立ち上げミラー１１６の反射面１１６ａ（図１（ｂ））により偏向されてレンズ１５１に入射し、当該レンズ１５１の作用により光ディスク２００上で焦点を結ぶ。次いで、その戻り光がビームスプリッタ１１２のハーフミラー１１２ａ（図２）により反射されて、情報検出用レンズ１１４を介してフォトセンサ１１５に受光される。フォトセンサ１１５に受光されたレーザ光は、上述の如く、光ディスク２００の情報信号として利用される。
【００２４】
レンズ１５１の形状について以下に説明する。図３は、レンズ１５１を光ディスク２００側（図１（ｂ））から見た上面図である。また、図４は、レンズユニット１５０及び光ディスク２００の断面図である。
【００２５】
図４に示されるように、レンズ１５１は、一方の面（光ディスク２００側）に第１レンズ面１５１ａ１が、また、他方の面（立ち上げミラー１１６（図１（ｂ））側）に第２レンズ面１５１ａ２が形成されたレンズ部１５１ａと、レンズ部１５１ａの外縁からフランジ状に突出した略円盤状のフランジ部１５１ｂを有する。図３に示されるように、フランジ部１５１ｂは、その外周面に複数の凹部１５１ｂ１が円周方向に略等間隔に形成されており、レンズ１５１の上面は全体として星型の形状となっている。なお、図３に示されるように、凹部１５１ｂ１は、フランジ部１５１ｂの厚さ方向（レンズ１５１の光軸ａｘlに向かう方向）全域に亙って形成されている。
【００２６】
また、フランジ部１５１ｂの第１レンズ面１５１ａ１側の面は、レンズ１５１の光軸ａｘｌに垂直な平面であるコバ反射平面部１５１ｂ３となっている。
【００２７】
ホルダ１５２は、立ち上げミラー１１６（図１（ｂ））から光ディスク２００に向かう方向（図４中上下方向）に形成された貫通孔１５２ａを有する、板状の部材である。貫通孔１５２ａの光ディスク２００側の部分は、光ディスク２００に近づくに従って太径となる傾斜面（円すい台面）１５２ａ１となっている。傾斜面１５２ａ１の最も細径の部分の径（すなわち最も立ち上げミラー１１６側に位置する部分の径）をｄｈ１、傾斜面１５２ａ１の最も太径の部分の径（すなわち最も光ディスク２００側に位置する部分の径）をｄｈ２、レンズ１５１外径をｄｌとすると、ｄｈ２＞ｄｌ＞ｄｈ１となっている。このため、レンズ１５１をホルダ１５２に取り付けると、フランジ部１５１ｂが傾斜面１５２ａ１の上に乗った状態となる。フランジ部１５１ｂが傾斜面１５２ａ１の上に乗った状態で、フランジ部１５１ｂの外周面と貫通孔１５２ａの間隙部ＳＰに接着剤ａｄを注入することによって、レンズ１５１はホルダ１５２に対して接着固定される。
【００２８】
ピックアップ装置１３０によって、光ディスク２００に記録された情報を正しく読み取れるようにする、或いは書き込めるようにするためには、光ディスク装置１００において光ディスク２００を回転可能に保持するスピンドル１４０（図１（ａ）、図２）の回転軸ａｘｓと、レンズ１５１の光軸ａｘｌとが平行となるよう位置決めを行う必要がある。本実施形態においては、可動ユニット１３１はスピンドル１４０に対して、ホルダ１５２は可動ユニット１３１に対して夫々厳密に位置決めされているが、前述のように、レンズ１５１はホルダ１５２に単に乗せられた状態で接着固定されるものであるため、レンズ１５１の接着時にホルダ１５２に対してレンズ１５１を厳密に位置決めする必要がある。すなわち、レンズ１５１をホルダ１５２に接着固定するためのレンズ固定装置は、レンズ１５１をホルダ１５２に対して厳密に位置決めした上でレンズ１５１の接着を行う必要がある。
【００２９】
本実施形態のレンズ固定装置について、以下に説明する。図５は、レンズ１５１をホルダ１５２に固定させる、レンズ固定装置の概要を示したブロック図である。
【００３０】
図５に示されるように、レンズ固定装置３００は、ホルダ１５２を保持するホルダ保持部３１０と、ホルダ１５２に対するレンズ１５１の光軸の傾きを検出する検出部３２０と、ホルダ１５２上でレンズ１５１をホルダ１５２に向かって付勢するレンズ保持治具３３１と、レンズ保持治具３３１を介してレンズ１５１を傾けるよう移動させる移動部３３２と、ホルダ１５２とレンズ１５１との間隙に接着剤を供給してレンズ１５１をホルダ１５２に固定させる接着部３４０と、検出部３２０、移動部３３２及び接着部３４０を操作するための操作用コンピュータシステム３５０を有する。
【００３１】
検出部３２０は、平行光を生成する光源ユニット３２１と、ハーフミラー３２２と、結像レンズ３２３と、撮像カメラ３２４とを有する。
【００３２】
光源ユニット３２１から生成された平行光は、ハーフミラー３２２に入射する。なお、上記ハーフミラー３２２に入射するまでの平行光を、第１の光Ｐ１と定義する。ハーフミラー３２２は、入射した第１の光Ｐ１をレンズ１５１に向かう方向に９０°屈曲させる。上記ハーフミラー３２２で屈曲してレンズ１５１に向かう光を第２の光Ｐ１１と定義する。なお、第２の光Ｐ１１の進行方向Ｄは、レンズ１５１がホルダ１５２に正しく取り付けられた時のレンズ１５１の光軸ａｘｌ（すなわち、光ディスク装置１００のスピンドル１４０の光軸ａｘｓの方向）と平行である。
【００３３】
第２の光Ｐ１１は、レンズ１５１のコバ反射平面部１５１ｂ３（図３）で反射する。上記レンズ１５１にて反射した光を第３の光Ｐ２１と定義する。第３の光Ｐ２１は、ハーフミラー３２２を透過する。上記ハーフミラー３２２を通過した後の光を第４の光Ｐ２と定義する。第４の光Ｐ２は、結像レンズ３２３にて集光されて撮像カメラ３２４に入射する。ここで、結像レンズ３２３は、その光軸ａｘｉに平行な平行光が撮像カメラ３２４の撮像面で集光されるように、撮像カメラ３２４に対して位置決めされている。
【００３４】
操作用コンピュータシステム３５０は、コンピュータ本体３５１と、モニタ３５２と、キーボードやマウスなどの操作部３５３とを有する。撮像カメラ３２４の画像出力端子は、操作用コンピュータシステム３５０のコンピュータ本体３５１に接続されている。
【００３５】
コンピュータ本体３５１は、撮像カメラ３２４から送信された映像信号を処理して、撮像カメラ３２４が撮像した画像をモニタ３５２のスクリーン３５２ａに表示する。レンズ１５１のコバ反射平面部１５１ｂ３で反射した光は、スクリーン３５２ａ上では、暗視野上の光点Ｓ１１として表示される。また、コンピュータ本体３５１は、傾き検出用のマークＭをスクリーン３５２ａ上に表示させている。レンズ１５１の光軸の傾きは、マークＭと光点Ｓ１１との位置ずれとして現れる。
【００３６】
また、コンピュータ本体３５１は、移動部３３２を制御可能となっており、操作部３５３を操作して、マークＭに光点Ｓ１１が重なるように移動部３３２によってレンズ保持治具３３１を介してレンズ１５１を傾けることによって、レンズ１５１の光軸が正しい位置となるよう調整可能である。
【００３７】
本実施形態においては、図３及び図４に示されるように、レンズ１５１のフランジ部１５１ｂの外形は星型となっている。このため、レンズ１５１をホルダ１５２に乗せた状態では、ホルダ１５２の傾斜面１５２ａ１にレンズ１５１の境界部１５１ｂ２（図３）のみが当接することになり、レンズ１５１と傾斜面１５２ａ１の接触面積は小さいものとなる。レンズ１５１をホルダ１５２に接着固定する場合は、レンズ１５１がホルダ１５２から浮かないように、レンズ保持治具３３１（図５）によって、レンズ１５１を傾斜面１５２ａ１に向かって付勢する必要があるが、レンズ１５１のフランジ部１５１ｂに凹部１５１ｂ１が形成されていない（すなわち、フランジ部１５１ｂが円形であるような）従来構成では、レンズ１５１とホルダ１５２との間の摩擦力は極めて大きなものとなり、レンズ１５１をホルダ１５２上で移動させるためにレンズ固定装置３００の移動部３３２（図５）がレンズ１５１に大きな荷重を加える必要がある。加えて、従来構成においては、レンズ１５１が傾斜面１５２ａ１に対して傾くと、傾斜面１５２ａ１とレンズ１５１との接触面積が急激に減少し、レンズ１５１と傾斜面１５２ａ１との間の摩擦力が急激に減少する。このとき、移動部３３２は摩擦力に抗してレンズ１５１を動かせるだけの大荷重をレンズ１５１に加えているため、摩擦力が急激に減少すると移動部３３２がレンズ１５１に加える荷重と摩擦力との釣合いが崩れ、レンズ１５１が急激に、所望の位置から大きく外れてしまう可能性がある。
【００３８】
上記の従来構成に対し、本実施形態の構成においては、レンズ１５１と傾斜面１５２ａ１との間に働く摩擦力は小さなものであるため、レンズ１５１をホルダ１５２上で移動させるためにレンズ固定装置３００の移動部３３２がレンズ１５１に加える荷重の大きさは小さなものとなる。また、元々レンズ１５１と傾斜面１５２ａ１との間に働く摩擦力が小さなものであるため、レンズ１５１が傾斜面１５２ａ１上で傾いたとしても、摩擦力は大きく減少せず、レンズ１５１が意図せず急激に移動することは無い。
【００３９】
なお、傾斜面１５２ａ１の、ホルダ１５２の厚さ方向（図４中上下方向）に対する傾斜角度は、４０〜５０°であり、好ましくは約４５°である。ただし、傾斜面１５２ａ１の傾斜角度は、この範囲に限定されるものではなく、レンズ形状によっては、３０〜７０°程度の範囲にあっても良い。傾斜面１５２ａ１の角度が浅い（すなわち、ホルダ１５２の厚さ方向に垂直な平面に近い）と、ホルダ１５２の大きさは大きなものとなり、また、ホルダ１５２と第２レンズ面１５１ａ２とが干渉する可能性がある。反面、傾斜面１５２ａ１の角度が深い（すなわち、ホルダ１５２の厚さ方向に平行な平面に近い）と、傾斜面１５２ａ１とレンズ１５１との摩擦抵抗が大きなものとなる。そこで、本実施形態においては、傾斜面１５２ａ１の角度を４５°前後として、ホルダ１５２の大きさは小さく、ホルダ１５２と第２レンズ面１５１ａ２とは干渉せず、且つ、傾斜面１５２ａ１とレンズ１５１との摩擦抵抗は小さなものとなっている。
【００４０】
また、レンズ１５１と傾斜面１５２ａ１との間に働く摩擦力を極力小さくするために、境界部１５１ｂ２（図３）の大きさはできる限り小さいことが好ましい。具体的には、境界部１５２ｂ２の長さｌｂが、凹部１５１ｂ１の長さｌａの０．２倍以下であることが最も好ましい。ただし、長さｌｂが凹部１５１ｂ１の長さｌａの０．８倍以下であっても、レンズ固定装置３００の移動部３３２がレンズ１５１に加える荷重の大きさを十分に小さくすることができる。
【００４１】
また、図４に示されるように、本実施形態においては、ホルダ１５２の傾斜面１５２ａ１の半径方向外側に、光ディスク２００側に円筒状に突出する突出部１５２ｂが形成されている。突出部１５２ｂは、その先端部がホルダ１５２に取り付けられたレンズ１５１よりもわずかに光ディスク２００側に位置するような高さとなっている。光ディスク２００は、スピンドル１４０（図１（ｂ））への取付誤差や、ディスク自身の偏心のため、スピンドル１４０の回転軸ａｘｓに対して面ブレ傾斜する可能性がある。そのため、ピックアップ装置１３０は、高速回転する光ディスク２００からレンズ１５１を保護する為の手段を必要とする。従来構成のピックアップ装置は、レンズのフランジ部に取り付けたカバーによってレンズを保護していた。このような、レンズに取り付けられるカバーは、衝突時の衝撃に耐えられるようある程度の強度を必要とするため、十分な厚さを有するものが必要である。また、近年、レンズの小型・小径化に伴い、レンズの焦点距離は短くなってきており、カバーをレンズに取り付けると、光ディスクとカバーの距離は極めて近接したものとなり、カバーとディスクとが接触する確率が高くなり、光ディスクの読み取り或いは書き込みが不安定なものとなる可能性がある。特に、Ｂｌｕ−ｒａｙ（商標）形式の光ディスクのような高密度な光ディスクから情報を読み取るためのレンズは、ＮＡが大きく有効径も大きく出来ないことから、焦点距離が短くなる傾向があり、そのようなレンズにカバーを取り付けた構成は、カバーとディスクとが接触する確率がより一層高いものとなる。これに対して、本実施形態においては、ホルダ１５２の突出部１５２ｂが光ディスク２００からレンズ１５１を保護する為の保護手段として機能する。突出部１５２ｂは、レンズ１５１のフランジ部１５１ｂの光ディスク２００側の面に取り付けるものではないため、その先端部の位置を、レンズ１５１よりもわずかに光ディスク２００に近い程度に設定可能である。このため、本実施形態の構成では、突出部１５２ｂと光ディスク２００とが接触する確率は比較的小さく保たれる。このように、本実施形態の構成によれば、光ディスクの読み取りを不安定なものとすることなく、光ディスク２００からレンズ１５１を保護可能である。
【００４２】
なお、本実施形態においては、レンズ１５１の凹部１５１ｂ１の深さ（すなわち、レンズ１５１の外接円ＣＯ（図３）と凹部１５１ｂとの最大間隔）ｒｐは、レンズ１５１に入射する光束が入射する範囲に達しない程度まで深くして、レンズ１５１を極力軽量化することができる。本実施形態においては、図４に示されるように、ホルダ１５２の貫通孔１５２ａの立ち上げミラー１１６側に径ｄａの絞り１５２ａ２が形成されている。そのため、好ましいｒｐの範囲は、レンズ１５１の外径ｄｌ及び絞り１５２ａ２の径ｄａを用いて、下記の数１で示される。
【００４３】
【数１】
2011233194.tif 000003
【００４４】
ただし、レンズ部１５１ａにまで凹部１５１ｂ１が達すると、レンズ１５１の光学性能に影響を与えるため、凹部１５１ｂ１の深さｒｐは、レンズ部１５１ａに達しない程度の大きさであることがより望ましい。すなわち、好ましいｒｐの範囲は、レンズ１５１の外径ｄｌ及びレンズ部１５１ａの径ｄｌ０（図４）を用いて、下記の数２で示される。
【００４５】
【数２】
2011233194.tif 000004
【００４６】
例えば、レンズ部１５１ａの径ｄｌ０の大きさがレンズ１５１の外径ｄｌと絞り１５２ａ２の径ｄａのちょうど中間（すなわち、ｄｌ０＝（ｄｌ＋ｄａ）／２）であるならば、好ましいｒｐの範囲は、下記の数３で示される。
【００４７】
【数３】
2011233194.tif 000005
【００４８】
以上説明した本発明の第１の実施の形態は、図４に示されるように、ホルダ１５２において、レンズ１５１が乗せられる傾斜面１５２ａ１は円すい台面となっている。しかしながら、本発明は上記の構成に限定されるものではなく、傾斜面１５２ａ１は、以下に説明する本発明の第２の実施形態のように、光ディスク２００に近づくに従って径が大きくなるような他の形状の曲面であってもよい。
【００４９】
本発明の第２の実施形態の、レンズユニット１５０及び光ディスク２００の断面図を図６に示す。本実施形態においては、第１の実施形態のホルダ１５２の代わりに、傾斜面１５３ａ１の形状が異なるホルダ１５３を用いたものである。本実施形態の他の構成は、第１の実施形態と同様であるため、説明は省略する。
【００５０】
本実施形態においては、図６に示されるように、傾斜面１５３ａ１が球面状に形成されている。すなわち、レンズ１５１の半径方向外側に向かって、傾斜面１５３ａ１の傾きが徐々に急になっている。そのため、傾斜面１５２ａ１が円すい台面であるような第１の実施形態と比べて、ホルダのレンズ半径方向寸法を殆ど大きくすることなく、レンズ１５１を傾斜させることができる角度を大きくとることができる。
【００５１】
また、傾斜面１５３ａ１の直径を、レンズ１５１の外径ｄｌ（図３）と略等しく設定すると、レンズ１５１を傾けた状態でも、レンズ１５１のフランジ部１５１ｂの境界部１５１ｂ２（図３）の全てが確実に傾斜面１５３ａ１に当接した状態が維持され、レンズ１５１がホルダ１５３上でより安定して保持されるようになる。
【００５２】
以上説明した本発明の第１及び第２の実施形態のレンズ１５１は、フランジ部１５１ｂに形成された凹部１５１ｂ１が曲面形状の、星型のレンズとなっている。しかしながら、本発明は上記の構成に限定されるものではなく、レンズ１５１の形状を、凹部１５１ｂ１が平面状となる多角形形状としてもよい。ただし、凹部１５１ｂ１を曲面形状とする構成は、レンズ１５１をより軽量化することが可能となるため、より好ましいものであるといえる。
【００５３】
また、以上説明した本発明の第１及び第２の実施形態のピックアップ装置は、ＣＤ、又はＣＤ及びＤＶＤ形式の光ディスクに記録された情報を読み取る或いは書き込むためのものである。しかしながら、本発明は上記の構成に限定されるものではなく、ＣＤ、ＤＶＤ及びＢｌｕ−ｒａｙ（商標）形式の光ディスクに記録された情報を読み取る或いは書き込むためのピックアップ装置も又、本発明に含まれる。すなわち、本実施形態のレンズ１５１の代わりに、ＣＤ、ＤＶＤ及びＢｌｕ−ｒａｙ形式の光ディスクを読み取ることが可能な３波長互換対物レンズを可動ユニット１３１に設けた構成としてもよい。或いは、ＣＤ、ＤＶＤ形式の光ディスクと、Ｂｌｕ−ｒａｙ形式の光ディスクに対応したピックアップ装置は、ＣＤ及びＤＶＤ形式の光ディスク用のレンズ及び光学ユニット１１０（図１、図２、図４）と、Ｂｌｕ−ｒａｙ形式の光ディスク用のレンズ及び光学ユニット１１０が可動ユニット１３１に設けられたものである。すなわち、比較的焦点距離の長いＣＤ及びＤＶＤ形式の光ディスク用のレンズと、焦点距離の短いＢｌｕ−ｒａｙ形式の光ディスク用のレンズとが、可動ユニット１３１に並べて配置された状態となる。
【００５４】
なお、ＣＤ及びＤＶＤ形式の光ディスク用のレンズと、Ｂｌｕ−ｒａｙ形式の光ディスク用のレンズとが共通のホルダに取り付けられる構成としてもよい。すなわち、ホルダには、ＣＤ及びＤＶＤ形式の光ディスク用のレンズの為の貫通孔と、Ｂｌｕ−ｒａｙ形式の光ディスク用のレンズの為の貫通孔が別個に設けられる。そして、これらの貫通孔はいずれも、第１又は第２の実施形態と同様、傾斜面となっている。
【００５５】
一般に、光ディスクから情報を読み出す或いは光ディスクに情報を記録するためのレンズの焦点距離は、記録密度の高い光ディスク用のものほど小さくなる。このため、ホルダへの取り付け時に該レンズに許容される傾きは、記録密度の高い光ディスク用のレンズほど小さくなる。本実施形態の構成は、傾き調整の為にレンズに加える荷重を、高い応答性をもって制御可能であるため、上記のような焦点距離の小さいレンズをホルダに取り付ける場合であっても、正確に（レンズに許容される傾きの範囲内で）レンズをホルダに位置決めすることが可能である。
【符号の説明】
【００５６】
１００          光ディスク装置
１３０          ピックアップ装置
１５０          レンズユニット
１５１          レンズ
１５１ｂ        フランジ部
１５１ｂ１      凹部
１５２          ホルダ
１５２ａ        貫通孔
１５２ａ１      傾斜面
１５３          ホルダ
１５３ａ１      傾斜面
２００          光ディスク
【図１】
2011233194.tif 000006
【図２】
2011233194.tif 000007
【図３】
2011233194.tif 000008
【図４】
2011233194.tif 000009
【図５】
2011233194.tif 000010
【図６】
2011233194.tif 000011